(57)【要約】【課題】新しいインタフェースを備えるカメラを提供する。【解決手段】カメラ１００は、シャッターボタン１０２や軍艦部１０６を備える。軍艦部１０６には、ひとつまたは複数のシート状スイッチ１２０が設けられる。シート状スイッチ１２０は、抵抗膜式あるいは静電容量式のスイッチやパネルである。【選択図】図１
2020091308.tif 000002
【特許請求の範囲】
【請求項１】
軍艦部に設けられたひとつまたは複数のシート状スイッチを備えることを特徴とするカメラ。
【請求項２】
前記軍艦部に設けられたストロボを備え、
前記ひとつまたは複数のシート状スイッチの少なくともひとつは、前記ストロボに設けられることを特徴とする請求項１に記載のカメラ。
【請求項３】
本体の背面に設けられた可動式のディスプレイと、
前記ディスプレイを開いた状態でアクセス可能な前記本体の部分に設けられたひとつまたは複数のシート状スイッチと、
をさらに備えることを特徴とする請求項１または２に記載のカメラ。
【請求項４】
前記ひとつまたは複数のシート状スイッチの少なくともひとつは、所定方向のスライド入力を検出可能であることを特徴とする請求項１から３のいずれかに記載のカメラ。
【請求項５】
２つのシート状スイッチが、実質的に垂直な二方向のスライド入力を検出可能に配置されることを特徴とする請求項４に記載のカメラ。
【請求項６】
前記ひとつまたは複数のシート状スイッチのひとつは、二方向に位置検出感度を有することを特徴とする請求項１から５のいずれかに記載のカメラ。
【請求項７】
前記ひとつまたは複数のシート状スイッチの少なくともひとつを、画像の編集時のユーザインタフェースに利用可能であることを特徴とする請求項１から６のいずれかに記載のカメラ。
【請求項８】
前記画像の編集はトリミングを含むことを特徴とする請求項７に記載のカメラ。
【請求項９】
前記ひとつまたは複数のシート状スイッチのひとつを、通常の静止画撮影以外の撮影のシャッターあるいはスタートボタンとして利用可能であることを特徴とする請求項１から８のいずれかに記載のカメラ。
【請求項１０】
前記ひとつまたは複数のシート状スイッチの少なくともひとつは、ミアンダ形状、Ｌ字形状、円環形状あるいは部分円環形状を有することを特徴とする請求項１から９のいずれかに記載のカメラ。
【請求項１１】
前記軍艦部の表面には溝が設けられ、前記ひとつまたは複数のシート状スイッチの少なくともひとつは、前記溝に埋め込まれることを特徴とする請求項１から１０のいずれかに記載のカメラ。
【請求項１２】
前記溝に埋め込まれたシート状スイッチは、前記軍艦部の表面よりも凹んでいることを特徴とする請求項１１に記載のカメラ。
【請求項１３】
前記溝に沿って設けられたガイドをさらに備えることを特徴とする請求項１１に記載のカメラ。
【請求項１４】
前記ひとつまたは複数のシート状スイッチの少なくともひとつは、抵抗膜センサであることを特徴とする請求項１から１３のいずれかに記載のカメラ。
【請求項１５】
前記ひとつまたは複数のシート状スイッチの少なくともひとつは、静電容量センサであることを特徴とする請求項１から１４のいずれかに記載のカメラ。
【請求項１６】
本体の背面に設けられた可動式のディスプレイと、
前記ディスプレイを開いた状態でアクセス可能な前記本体の部分に設けられた、ひとつまたは複数のシート状スイッチと、
を備えることを特徴とするカメラ。
【請求項１７】
前記ディスプレイは、バリアングル式であることを特徴とする請求項１６に記載のカメラ。
【請求項１８】
前記ひとつまたは複数のシート状スイッチの少なくともひとつは、所定方向のスライド入力を検出可能であることを特徴とする請求項１６または１７に記載のカメラ。
【請求項１９】
２つのシート状スイッチが、実質的に垂直な二方向のスライド入力を検出可能に配置されることを特徴とする請求項１８に記載のカメラ。
【請求項２０】
前記ひとつまたは複数のシート状スイッチのひとつは、二方向に位置検出感度を有することを特徴とする請求項１６から１９のいずれかに記載のカメラ。
【請求項２１】
前記ひとつまたは複数のシート状スイッチの少なくともひとつを、画像の編集時のユーザインタフェースに利用可能であることを特徴とする請求項１６から２０のいずれかに記載のカメラ。
【請求項２２】
前記画像の編集はトリミングを含むことを特徴とする請求項２１に記載のカメラ。
【請求項２３】
前記ひとつまたは複数のシート状スイッチのひとつを、通常の静止画撮影以外の撮影のシャッターあるいはスタートボタンとして利用可能であることを特徴とする請求項１６から２２のいずれかに記載のカメラ。
【請求項２４】
前記ひとつまたは複数のシート状スイッチの少なくともひとつは、ミアンダ形状、Ｌ字形状、円環形状あるいは部分円環形状を有することを特徴とする請求項１６から２３のいずれかに記載のカメラ。
【請求項２５】
前記本体の部分の表面には溝が設けられ、前記ひとつまたは複数のシート状スイッチの少なくともひとつは、前記溝に埋め込まれることを特徴とする請求項１６から２４のいずれかに記載のカメラ。
【請求項２６】
前記溝に埋め込まれたシート状スイッチは、前記本体の部分の表面よりも凹んでいることを特徴とする請求項２５に記載のカメラ。
【請求項２７】
前記溝に沿って設けられたガイドをさらに備えることを特徴とする請求項２５に記載のカメラ。
【請求項２８】
前記ひとつまたは複数のシート状スイッチの少なくともひとつは、抵抗膜センサであることを特徴とする請求項１６から２７のいずれかに記載のカメラ。
【請求項２９】
前記ひとつまたは複数のシート状スイッチの少なくともひとつは、静電容量センサであることを特徴とする請求項１６から２７のいずれかに記載のカメラ。
【発明の詳細な説明】
【技術分野】
【０００１】
本発明は、カメラに関する。
【背景技術】
【０００２】
一眼レフタイプあるいはミラーレスタイプのデジタルカメラが普及している。デジタルカメラは、実質的に統一されたユーザインタフェースを有している。たとえばシャッターボタンは、右手でカメラ本体をグリップした状態で、人差し指で操作しやすい位置に配置される。また、絞り、シャッタースピードを制御するためのダイヤルも、親指あるいは人差し指で操作しやすい位置に配置される。
【０００３】
デジタルカメラは、本体の背面側にディスプレイを備える。中級機種以上では、ディスプレイにタッチパネルが埋め込まれており、タッチ操作が可能なものもある。
【先行技術文献】
【特許文献】
【０００４】
【特許文献１】特開２０１７−０９１２９２号公報
【発明の概要】
【発明が解決しようとする課題】
【０００５】
本発明者は、デジタルカメラについて検討した結果、以下の課題を認識するに至った。
【０００６】
デジタルカメラの中には、写真の撮影後にカメラ本体を用いて画像処理する機能を備えるものがある。画像処理としては、ＲＡＷ現像、画像のトリミング、コントラストや露出の修正、ホワイトバランスの補正などが例示される。現在市販されるデジタルカメラは、画像処理に必要な操作を、撮影時に快適となるように設計されたユーザインタフェース（ボタンやダイヤル）を用いて行うようになっている。言い換えれば、必ずしも画像処理をはじめとする撮影後の操作に適したユーザインタフェースを備えているとは言えない。
【０００７】
撮影に関しても、セルフタイマー撮影やタイムラプス撮影などの機能を利用したい場合に、メニューの下の方の階層まで降りないと、その機能にたどり着けない場合もある。
【０００８】
この問題に対処するために、ユーザが好みの機能を割り当て可能なファンクションボタンが追加されるデジタルカメラも存在するが、ボタンであるため、用途は限定される。
【０００９】
本発明はかかる状況においてなされたものであり、そのある態様の例示的な目的のひとつは、新しいインタフェースを備えるカメラの提供にある。
【課題を解決するための手段】
【００１０】
本発明のある態様はカメラに関する。カメラは、軍艦部に設けられたひとつまたは複数のシート状スイッチを備える。
【００１１】
本発明の別の態様もまた、カメラである。このカメラは、本体の背面に設けられた可動式のディスプレイと、ディスプレイを開いた状態でアクセス可能な本体の部分に設けられたひとつまたは複数のシート状スイッチと、を備える。
【００１２】
なお、以上の構成要素を任意に組み合わせたもの、あるいは本発明の表現を、方法、装置などの間で変換したものもまた、本発明の態様として有効である。
【発明の効果】
【００１３】
本発明のある態様によれば、新しいユーザインタフェースを備えるカメラを提供できる。
【図面の簡単な説明】
【００１４】
【図１】実施の形態１に係るデジタルカメラを示す図である。
【図２】図２（ａ）、（ｂ）は、シート状スイッチの一例を示す図である。
【図３】図２のシート状スイッチのレイアウトの一例を示す図である。
【図４】図４（ａ）〜（ｃ）は、シート状スイッチの実装例を示す図である。
【図５】ストロボ付きのカメラを示す図である。
【図６】図６（ａ）、（ｂ）は、２つのスライド入力を用いた画像のトリミング操作を示す図である。
【図７】図７（ａ）〜（ｄ）は、スライド入力を検出可能なシート状スイッチの別の実施例を示す図である。
【図８】図８（ａ）〜（ｄ）は、抵抗膜タッチパネルを示す図である。
【図９】実施の形態２に係るカメラを示す図である。
【発明を実施するための形態】
【００１５】
（実施の形態の概要）
本明細書に開示される一実施の形態はカメラに関する。カメラは、軍艦部に設けられたひとつまたは複数のシート状スイッチを備える。軍艦部には、アクセサリシューが設けられる場合があるものの、ボタン等は配置されていない空きスペースがある。この空きスペースにシート状スイッチを設けることで、外観を損なったり、既存のインタフェースを損なわずに、新しいインタフェースを追加できる。
【００１６】
ひとつまたは複数のシート状スイッチの少なくともひとつは、所定方向のスライド入力を検出可能であってもよい。これにより軍艦部を撫でたり、指をスライドさせることにより、カメラの操作が可能となる。
【００１７】
たとえばシート状スイッチを、撮影前の、たとえば撮影のためのパラメータの設定に利用可能としてもよい。あるいは、撮影後、画像のプレビューや、ＲＡＷ現像、画質の調整に利用可能としてもよい。スライド入力を検出可能なスイッチを設けると、撮影のためのパラメータの設定、画像をプレビューする際の拡大や縮小、画像をプレビューする際の画像送りや戻し、画像編集の際のパラメータの増減、トリミングのサイズなどを、直感的に行うことが可能となる。
【００１８】
２つのシート状スイッチが、実質的に垂直な二方向のスライド入力を検出可能に配置されてもよい。この場合、２つのシート状スイッチを、横方向の操作と縦方向の操作に割り当てることができる。
【００１９】
ひとつまたは複数のシート状スイッチのひとつは、二方向に位置検出感度を有してもよい。
【００２０】
ひとつまたは複数のシート状スイッチの少なくともひとつを、画像の編集時のユーザインタフェースに利用可能であってもよい。画像の編集はトリミングを含んでもよい。
【００２１】
ひとつまたは複数のシート状スイッチのひとつを、通常の静止画撮影以外の撮影のシャッターあるいはスタートボタンとして利用可能であってもよい。
【００２２】
カメラは、軍艦部に設けられたストロボ（フラッシュ）を備えてもよく、シート状スイッチは、ストロボに設けられてもよい。シート状スイッチは軽量であるため、ストロボの跳ね上げ動作に影響しにくい。またストロボにシート状スイッチを設けると、ストロボを跳ね上げた状態においても、シート状スイッチへの入力が可能となる。
【００２３】
本発明の別の態様もまたカメラである。このカメラは、本体の背面に設けられた可動式のディスプレイと、ディスプレイを開いた状態でアクセス可能な本体の部分に設けられたシート状スイッチと、を備える。可動式のディスプレイによって隠れている部分には、ボタンなどが設けられておらず、空きスペースが存在する。この空きスペースにシート状スイッチを設けることで、外観を損なったり、既存のインタフェースを損なわずに、新しいインタフェースを追加できる。
【００２４】
ディスプレイは、バリアングル式であってもよい。バリアングル式のディスプレイを広げた状態で使用することにより、ディスプレイを見ながら、シート状スイッチを利用してプレビューや画像編集が可能となる。
【００２５】
シート状スイッチは、ミアンダ形状、Ｌ字形状、円環形状あるいは部分円環形状を有してもよい。これらはスライド入力に適していると言える。
【００２６】
静電容量スイッチは、金属筐体との相性が悪く、複数の電極を敷設する必要があるため、スペース的な制約を受けやすい。このようなケースではシート状スイッチを抵抗膜センサとしてもよい。
【００２７】
（実施の形態）
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２８】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００２９】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３０】
（実施の形態１）
図１は、実施の形態１に係るデジタルカメラ（以下、単にカメラという）１００を示す図である。カメラ１００は、既存のインタフェースとして、シャッターボタン１０２やモードダイヤル１０４を備える。カメラ１００の内部には、イメージセンサや画像処理プロセッサ（不図示）が内蔵される。またカメラ１００の全面には、レンズ１０８が着脱可能に、あるいは着脱不能に設けられている。
【００３１】
カメラ１００は、ファインダー（図３の１１０）を収容する軍艦部１０６を備える。軍艦部１０６には、ひとつまたは複数のシート状スイッチ１２０が設けられ、これ（ら）は新たなインタフェースを提供する。ファインダーは光学式であると電子式であるとを問わない。
【００３２】
以上がカメラ１００の基本構成である。カメラ１００の軍艦部１０６には、アクセサリシューが設けられる場合があるものの、ボタン等は配置されておらず、空きスペースがある。この空きスペースにシート状スイッチ１２０を設けることで、外観を損なったり、既存のインタフェースを損なわずに、新しいインタフェースを追加できる。
【００３３】
もっとも簡易には、シート状スイッチ１２０は、単なるボタン（スイッチ）とすることができる。たとえばあるシート状スイッチ１２０をタップすると、所定の機能を呼び出せるようにしてもよい。所定の機能は特に限定されないが、たとえば、セルフタイマー撮影やタイムラプス撮影、パノラマ撮影、動画撮影など、通常の静止画撮影以外の撮影（本明細書において、特殊撮影という）のためのシャッター、スイッチあるいはスタートボタンに割り当ててもよい。特殊撮影の機能は、メニューの階層深くまで潜らないと見つけ出すことができない場合が多く、使用頻度が低くなりがちであるが、専用のスイッチを軍艦部に設けることで、ユーザが利用しやすくなる。
【００３４】
あるいは各シート状スイッチ１２０に対する機能の割り当てはユーザが自由にカスタムできるようにしてもよい。
【００３５】
シート状スイッチ１２０を、撮影前のパラメータの設定に利用可能としてもよい。あるいは、撮影後の画像のプレビューや、ＲＡＷ現像、画質の調整に利用可能としてもよい。この場合、シート状スイッチ１２０は、単なるオン、オフのボタンではなく、スライド入力を検出可能であることが好ましい。図２（ａ）、（ｂ）は、シート状スイッチ１２０の一例（１２０Ａ）を示す図である。シート状スイッチ１２０Ａは、長手方向（図中Ａ方向）に位置の検出感度を有し、短手方向（幅方向、図中Ｂ方向）には不感である。図２（ｂ）に示すように、指を斜め方向にスライド（以下、フリックも含む）しても、Ｂ方向の変化は無視され、Ａ方向のスライド入力として扱われる。
【００３６】
図３は、図２のシート状スイッチ１２０Ａのレイアウトの一例を示す図である。たとえば、シート状スイッチ１２０Ａ＿１は、カメラの前後方向を長手として、軍艦部１０６の上面Ｓ１に配置される。シート状スイッチ１２０Ａ＿１により、前後方向のスライド入力を検出可能となる。
【００３７】
また別のシート状スイッチ１２０Ａ＿２は、カメラの横方向を長手として、軍艦部１０６の上面Ｓ１に配置される。シート状スイッチ１２０Ａ＿２により、横方向のスライド入力を検出可能となる。
【００３８】
別のシート状スイッチ１２０Ａ＿３は、カメラの前後方向を長手として、軍艦部１０６の側面Ｓ２に配置される。シート状スイッチ１２０Ａ＿３により、前後方向のスライド入力を検出可能である。また別のシート状スイッチ１２０Ａ＿４は、カメラの横方向を長手として、軍艦部１０６の側面Ｓ２に配置される。シート状スイッチ１２０Ａ＿４により、横方向のスライド入力を検出可能となる。
【００３９】
スライド入力を検出可能なシート状スイッチ１２０Ａを設けることで、撮影のためのパラメータの設定、画像をプレビューする際の拡大や縮小、画像をプレビューする際の画像送りや戻し、画像編集の際のパラメータの増減、トリミングのサイズなどを、直感的に行うことが可能となる。
【００４０】
好ましくは、実質的に垂直な二方向のスライド入力を検出可能とするために、直交する２つのシート状スイッチのペアを設けることが好ましい。図３の例では、１２０Ａ＿１と１２０Ａ＿２のペアは実質的に垂直といえる。また１２０Ａ＿３と１２０Ａ＿４のペアも実質的に垂直といえる。また１２０Ａ＿１と１２０Ａ＿４のペアも、実質的に垂直といえる。あるいは１２０Ａ＿２と１２０Ａ＿３のペアも実質的に垂直といえる。
【００４１】
あるいは、ファインダー１１０の側面Ｓ２が、上面Ｓ１と垂直に近い場合、シート状スイッチ１２０Ａ＿２と１２０Ａ＿４を実質的に垂直とみなすことも可能であるから、それらをペアとして設けてもよい。いずれのペアを採用するかは、軍艦部１０６のスペースを考慮して決めればよい。
【００４２】
図４（ａ）〜（ｃ）は、シート状スイッチの実装例を示す図である。図４（ａ）は、軍艦部１０６の表面にシート状スイッチ１２０が敷設され、その上がカバー１１４で覆われている。ただしこの構造は、シート状スイッチ１２０の部分が出っ張るため、シート状スイッチ１２０の部分に意図せぬ強い衝撃や外力が加わりやすい。
【００４３】
図４（ｂ）ではカメラのボディの表面に溝１１６が設けられ、シート状スイッチ１２０は溝１１６の内部に敷設され、その上がカバー１１４で覆われている。この構造により、シート状スイッチ１２０の部分の出っ張りを無くすことができ、衝撃や外力に対する耐性を高めることができる。
【００４４】
カバー１１４が軍艦部１０６の表面より凹んだ状態となるように、溝１１６の深さｈを設計するとよい。これにより、凹みをガイドとすることができ、軍艦部１０６を目視しなくても、スライド入力が容易となる。
【００４５】
図４（ｃ）では、カバー１１４が、カメラの表面と実質的にフラットである。代わりに、シート状スイッチ１２０の端部に沿って、ガイド１１８が設けられる。これによりガイドを頼りとすることで、軍艦部１０６を目視しなくてもスライド入力が容易となる。
【００４６】
図５は、ストロボ付きのカメラ１００を示す図である。このカメラ１００において、少なくともひとつのシート状スイッチ１２０は、ストロボ１１２に設けられてもよい。シート状スイッチ１２０は軽量であるため、ストロボ１１２の跳ね上げ動作に影響しにくいという利点を有する。またストロボ１１２にシート状スイッチを設けると、ストロボ１１２を跳ね上げた状態においても、シート状スイッチ１２０へのタッチ入力が容易である。
【００４７】
図６（ａ）、（ｂ）は、２つのスライド入力を用いた画像のトリミング操作を示す図である。図６（ａ）は処理対象の画像を示しており、ＩＭＧ＿ＯＲＧはトリミング前のオリジナル画像を、ＲＧＮ＿ＴＲＭはトリミングしたい領域を示す。図６（ｂ）は２つのシート状スイッチ１２０Ａのペア（１２０Ａ＿Ｈ，１２０Ａ＿Ｖ）を示す。２つのスイッチ１２０Ａ＿Ｈ，１２０Ａ＿Ｖを利用することにより、トリミング領域ＲＧＮ＿ＴＲＭを簡単に指定することができる。
【００４８】
たとえば、トリミング領域ＲＧＮ＿ＴＲＭの一点（たとえば左上の点Ｐ）のｘ座標を、１２０Ａ＿Ｈへのスライド入力にもとづいて設定し、ｙ座標を１２０Ａ＿Ｖへのスライド入力にもとづいて設定することができる。続いて、トリミング領域ＲＧＮ＿ＴＲＭの横幅Δｘを、１２０Ａ＿Ｈへのスライド入力にもとづいて設定し、高さΔｙを１２０Ａ＿Ｖへのスライド入力にもとづいて設定することができる。
【００４９】
あるいは、左上の座標と、右下の座標を、２つのシート状スイッチ１２０を用いて入力できるようにしてもよい。
【００５０】
このように、互いに直交する２つのスライド入力を検出可能な２つのシート状スイッチ１２０を設けることで、一方を横方向（すなわちｘ方向）の操作に、他方を縦方向（すなわちｙ方向）の操作に割り当てることができる。
【００５１】
シート状スイッチ１２０は、トリミングの領域指定のほかにも利用可能である。その限りでないが、たとえば、（i）撮影のためのパラメータの設定、（ii）画像編集の際のパラメータの増減、（iii）画像をプレビューする際のサムネイルの拡大や縮小、（iv）画像をプレビューする際の画像送りや戻しなどが例示される。（i）撮影のためのパラメータは、シャッタースピードや絞り、露出補正、ホワイトバランスの色温度、ＪＰＥＧ（Joint Photographic Experts Group）の画質、画像サイズなどを含みうる。また（ii）画像編集の際のパラメータは、コントラストの指定、ホワイトバランスの色温度の指定、増感や減感などが例示される。
【００５２】
図７（ａ）〜（ｄ）は、スライド入力を検出可能なシート状スイッチ１２０の別の実施例（１２０Ｂ〜１２０Ｅ）を示す図である。図７（ａ）のシート状スイッチ１２０Ｂは、Ｌ字型を有する。このシート状スイッチ１２０Ｂは、横方向（ｘ方向）に伸びる部分１２２によって、横方向のスライド入力が検出可能であり、縦方向（ｙ方向）に伸びる部分１２４によって、縦方向のスライド入力が検出可能である。このシート状スイッチ１２０Ｂも、軍艦部の上面あるいは側面に配置するとよい。
【００５３】
図７（ｂ）のシート状スイッチ１２０Ｃは、ミアンダ形状を有する。このシート状スイッチ１２０Ｃは、所定方向（この例ではｘ方向）を長手とする複数の矩形部分１２６＿１〜１２６＿３と、それらを端部においてつなぎ合わせる接続部分１２８＿１，１２８＿２を含む。このシート状スイッチ１２０Ｃによれば複数の矩形部分１２６＿１〜１２６＿３それぞれにおいて、ｘ方向のスライド入力を検出できる。
【００５４】
図７（ｃ）のシート状スイッチ１２０Ｄは、円環、部分円環もしくは馬蹄形状を有する部分１３０を含む。このシート状スイッチ１２０Ｄは、部分１３０において、円周方向のスライド入力を検出することができる。部分１３０の中央に、別のスイッチ１３２を設け、それを決定ボタンとしてもよい。
【００５５】
図７（ｄ）のシート状スイッチ１２０Ｅは、矩形のタッチパネルであり、ｘ方向とｙ方向の両方について位置検出可能である。
【００５６】
（シート状スイッチ１２０の構成）
シート状スイッチとしては、静電容量スイッチや抵抗膜方式のスイッチを用いることができ、特に限定されない。カメラの軍艦部が、複数の電極を有する静電容量を配置するスペースを有しない場合、あるいはカメラが静電容量スイッチと相性の悪い金属筐体を有しているような場合は、以下で説明するように、抵抗膜方式のスイッチ（パネル）を用いるとよい。
【００５７】
シート状スイッチ１２０は、抵抗膜式タッチパネルと制御回路の組み合わせで構成できる。はじめに、実施の形態に係る制御回路２００が対応可能な、異なる抵抗膜タッチパネルについて説明する。図８（ａ）〜（ｄ）は、抵抗膜タッチパネルを示す図である。図８（ａ）は、一般的な４線式のタッチパネル４００ａを示す。４線式のタッチパネル４００ａは、２枚の抵抗膜４０２，４０４と、抵抗膜４０２の対向する２辺に沿って設けられた電極対４０６，４０８と、抵抗膜４０４の対向する２辺に沿って設けられた電極対４１０，４１２と、を備える。４個の電極４０６，４０８，４１０，４１２から４本の配線Ｘ１，Ｘ２，Ｙ１，Ｙ２が引き出されており、図示しない制御回路と接続される。
【００５８】
接触点Ｐで２枚の抵抗膜４０２と４０４が接触したとする。Ｘ座標を検出するために、図示しない制御回路は、抵抗膜４０２の電極４０６に電源電圧（第１固定電圧）ＶＤＤを、電極４０８に接地電圧（第２固定電圧）ＶＧＮＤを印加する。接触点Ｐの電位ＶＰは、式（１）で表される。
ＶＰ＝ＶＤＤ×ＲＸ２／（ＲＸ１＋ＲＸ２）      …（１）
抵抗値ＲＸ１は、接触点Ｐと電極４０６の間の抵抗値であり、抵抗値ＲＸ２は、接触点Ｐと電極４０８の間の抵抗値である。ＲＸ１＋ＲＸ２は定数であり、ＲＣは接触抵抗を表す。抵抗膜４０４側をハイインピーダンスとしたとき、電極４１０および４１２には、接触点Ｐの電位ＶＰが現れるため、制御回路は電極４１０または４１２の電圧ＶＰを測定することにより、抵抗値ＲＸ２、すなわちＸ座標を判定できる。
【００５９】
Ｙ座標を検出するために、制御回路は、抵抗膜４０４の電極４１０に電源電圧ＶＤＤを、電極４１２に接地電圧ＶＧＮＤを印加する。接触点Ｐの電位ＶＰは、式（２）で表される。
ＶＰ＝ＶＤＤ×ＲＹ２／（ＲＹ１＋ＲＹ２）    …（２）
抵抗値ＲＹ１は、接触点Ｐと電極４１０の間の抵抗値であり、抵抗値ＲＹ２は、接触点Ｐと電極４１２の間の抵抗値である。ＲＹ１＋ＲＹ２は定数である。抵抗膜４０２側をハイインピーダンスとしたとき、電極４０６および４０８には、接触点Ｐの電位ＶＰが現れるため、制御回路は電極４０６または４０８の電圧ＶＰを測定することにより、ＲＹ２、すなわちＹ座標を判定できる。
【００６０】
図８（ｂ）は、５線式のタッチパネル４００ｂを示す。４線式のタッチパネル４００ｂは、２枚の抵抗膜４２０，４２２と、抵抗膜４２０の対向する２辺に設けられた電極対４２６，４２８、直交する２辺に設けられた電極対４３０，４３２を備える。電極４２６，４２８，４３０，４３２ならびに抵抗膜４２２の電極４２４から５本の配線Ａ〜Ｅが引き出されて、図示しない制御回路と接続される。
【００６１】
Ｘ座標を検出するために、制御回路は、配線Ａに電源電圧ＶＤＤを、配線Ｂに接地電圧ＶＧＮＤを印加し、配線Ｃ，Ｄをハイインピーダンスとする。接触点Ｐの電位ＶＰは、式（１）で表される。ただし、抵抗値ＲＸ１，ＲＸ２は、接触抵抗ＲＣ、下側の抵抗膜４２２の抵抗値ＲＬよりも大きいとする。（ＲＸ１，ＲＸ２≫ＲＣ，ＲＬ）
ＶＰ＝ＶＤＤ×ＲＸ２／（ＲＸ１＋ＲＸ２）      …（１）
抵抗値ＲＸ１は、接触点Ｐと電極４２６の間の抵抗値であり、抵抗値ＲＸ２は、接触点Ｐと電極４２８の間の抵抗値である。抵抗膜４２２側をハイインピーダンスとしたとき、抵抗膜４２２には、接触点Ｐの電位ＶＰが現れるため、制御回路は配線Ｅの電圧ＶＰを測定することにより、抵抗値ＲＸ２、すなわちＸ座標を判定できる。
【００６２】
Ｙ座標を検出するために、制御回路は、配線Ｃに電源電圧ＶＤＤを、配線Ｄに接地電圧ＶＧＮＤを印加し、配線Ａ，Ｂをハイインピーダンスとする。接触点Ｐの電位ＶＰは、式（２）で表される。
ＶＰ＝ＶＤＤ×ＲＹ２／（ＲＹ１＋ＲＹ２）      …（２）
抵抗値ＲＹ１（不図示）は、接触点Ｐと電極４３０の間の抵抗値であり、抵抗値ＲＹ２（不図示）は、接触点Ｐと電極４３２の間の抵抗値である。抵抗膜４２２側をハイインピーダンスとしたとき、抵抗膜４２２には、接触点Ｐの電位ＶＰが現れるため、制御回路は配線Ｅの電圧ＶＰを測定することにより、抵抗値ＲＹ２、すなわちＹ座標を判定できる。
【００６３】
図８（ｃ）のタッチパネル４００ｃは３線式であり、図８（ａ）のタッチパネル４００ａの上側の構造と、図８（ｂ）の下側の構造の組み合わせと把握でき、３本の配線Ｘ１，Ｘ２，Ｆが引き出されている。本明細書においてタッチパネル４００ｃを３線式と称する。このタッチパネル４００ｃは、Ｘ方向にのみ位置分解能を有しており、制御回路は、図８（ａ）の４線式と同じ処理によってＸ座標を検出できる。
【００６４】
図８（ｄ）のタッチパネル４００ｄは２線式であり、２枚の抵抗膜４０２，４０４と、電極４３４を備える。電極４３４から配線Ｇが、抵抗膜４０４から配線Ｈが引き出されており、図示しない制御回路と接続される。このタッチパネル４００ｄは、Ｘ方向にのみ位置分解能を有している。
【００６５】
Ｘ座標を検出するために、制御回路は、電極４３４から接触点Ｐを経て配線Ｈの引き出し点４３６に至る経路の抵抗値Ｚを測定する。
Ｚ＝ＲＸ＋ＲＣ＋ＲＬ
抵抗値Ｚの測定方法は特に限定されない。たとえば配線Ｇに電源電圧ＶＤＤを供給し、配線Ｈを既知の抵抗ｒでプルダウンし、このときの配線Ｈの電圧ＶＰを測定してもよい。
ＶＰ＝ＶＤＤ×ｒ／（ｒ＋Ｚ）
【００６６】
電圧ＶＰから抵抗値Ｚを計算可能である。さらにＲＣ、ＲＬが既知であるとすれば、抵抗値Ｚから抵抗値ＲＸ１を計算でき、したがってＸ座標を検出できる。抵抗膜４０４は金属導体であってもよく、この場合、ＲＬ＝０となる。
【００６７】
あるいは配線Ｈを接地し、配線Ｇから既知の定電流ＩＣを供給して、配線Ｇの電圧ＶＰを測定してもよい。
ＶＰ＝ＩＣ×Ｚ
【００６８】
２線式〜５線式の抵抗膜センサの構造やその制御回路は公知技術（特開２０１７−０９１２９２）や、本出願人が提案した技術（特願２０１７−１１８６３１）を用いればよい。
【００６９】
なお、図２や図７（ａ）〜（ｃ）のシート状スイッチ１２０Ｃはそれぞれ、抵抗膜が伸びる方向（１次元）についてのみ検出感度を有していればよい。したがって、図８（ｃ）や（ｄ）の３線式あるいは２線式を好適に用いることができる。図７（ｄ）のシート状スイッチ１２０Ｅについては、図８（ａ）や（ｂ）の５線式あるいは４線式を用いることができる。
【００７０】
（実施の形態２）
図９は、実施の形態２に係るカメラ１００Ｆを示す図である。カメラ１００Ｆは、本体の背面に設けられた可動式のディスプレイ１４０を備える。本実施の形態においてディスプレイ１４０はいわゆるバリアングル式であり、ディスプレイ１４０の向きを自由に変更可能となっている。なおディスプレイ１４０は、いわゆるチルト式であってもよい。
【００７１】
カメラ１００Ｆは、ディスプレイ１４０を開いた状態でアクセス可能な本体の部分１４２に設けられた、ひとつまたは複数のシート状スイッチ１５０を備える。
【００７２】
実施の形態１におけるシート状スイッチ１２０の構成や用途に関する説明は、実施の形態２におけるシート状スイッチ１５０にすべて適用可能である。
【００７３】
可動式のディスプレイ１４０によって隠れている部分１４２には、ボタンなどが設けられていない空きスペースが存在する。この空きスペースにシート状スイッチ１５０を設けることで、外観を損なったり、既存のインタフェースを損なわずに、新しいインタフェースを追加できる。また、シート状スイッチ１５０を用いたユーザインタフェースを提供することにより、ディスプレイ１４０をタッチパネル化する必要がなくなるため、カメラのコストを下げることができる。
【００７４】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００７５】
（変形例１）
実施の形態２と実施の形態１は組み合わせることが可能であり、軍艦部１０６と可動式のディスプレイ１４０に隠れる部分１４２の両方に、シート状スイッチ１２０、１５０を設けてもよい。
【００７６】
（変形例２）
実施の形態１に関して、ファインダー付きのカメラについて説明したが、軍艦部を有しないカメラにも本発明は適用可能である。たとえばレンジファインダー型のカメラや、ファインダーを有しないカメラのように、筐体の上面がフラットなカメラにおいては、フラットな部分の空きスペースに、シート状スイッチ１２０を設けてもよい。
【００７７】
（変形例３）
実施の形態２に関しても、軍艦部を有しないカメラにも本発明は適用可能であり、つまり可動式のディスプレイを備えるカメラに広く適用可能である。
【００７８】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００７９】
１００  カメラ
１０２  シャッターボタン
１０４  モードダイヤル
１０６  軍艦部
１０８  レンズ
１１０  ファインダー
１１２  ストロボ
１２０，１５０  シート状スイッチ
１４０  ディスプレイ
１４２  部分
【図１】
2020091308.tif 000003
【図２】
2020091308.tif 000004
【図３】
2020091308.tif 000005
【図４】
2020091308.tif 000006
【図５】
2020091308.tif 000007
【図６】
2020091308.tif 000008
【図７】
2020091308.tif 000009
【図８】
2020091308.tif 000010
【図９】
2020091308.tif 000011